(57)【要約】【課題】位置情報の取得に失敗した場合でも、そのときのテレビジョン信号の受信状態を考慮して、チャンネルプリセットの必要性の有無の判断や、チャンネルプリセットの手順を対話形式により的確に処理可能とする。【解決手段】テレビ受信機の電源オン時、ＴＶ側マイコン２１は、位置情報取得部２８による現在位置情報の取得に失敗した場合には、テレビジョン信号を受信できているか否かを確認し、受信できていないと判断した場合には、ユーザに対して手入力によるチャンネルプリセットの実施の有無を確認する確認メッセージを表示部１３に表示し、このメッセージに応答してユーザが地域情報を入力した場合にチャンネルプリセットを実施する。【選択図】図１
2008148142.tif 000002
【特許請求の範囲】
【請求項１】
ＧＰＳ（Global Positioning System）から現在位置を取得する位置情報取得手段と、
受信可能なチャンネルの地域ごとの情報を記憶している地域情報記憶手段と、
前記位置情報取得手段により取得した現在位置情報に基づいて前記地域情報記憶手段に記憶されている地域情報を特定し、特定した地域情報のチャンネルが受信可能となるようにチャンネル周波数を設定するチャンネルプリセットを実施するプリセット制御手段とを備えたテレビ受信機搭載型携帯端末装置において、
テレビジョン信号の受信の有無を判断する判断手段をさらに備えており、
テレビ受信機の電源オン状態において、前記プリセット制御手段は、前記位置情報取得手段による現在位置情報の取得に失敗した場合には、前記判断手段での判断結果を確認し、前記判断手段にてテレビジョン信号を受信できていないと判断されている場合には、受信状態を終了するか否かを確認し、受信状態を終了しない場合には、ユーザに対して手入力によるチャンネルプリセットの実施の有無を確認し、ユーザが地域情報を入力した場合にチャンネルプリセットを実施することを特徴とするテレビ受信機搭載型携帯端末装置。
【請求項２】
現在位置を取得する位置情報取得手段と、
受信可能なチャンネルの地域ごとの情報を記憶している地域情報記憶手段と、
前記位置情報取得手段により取得した現在位置情報に基づいて前記地域情報記憶手段に記憶されている地域情報を特定し、特定した地域情報のチャンネルが受信可能となるようにチャンネル周波数を設定するチャンネルプリセットを実施するプリセット制御手段とを備えたテレビ受信機搭載型携帯端末装置において、
テレビジョン信号の受信の有無を判断する判断手段をさらに備えており、
テレビ受信機の電源オン状態において、前記プリセット制御手段は、前記位置情報取得手段による現在位置情報の取得に失敗した場合には、前記判断手段での判断結果を確認し、前記判断手段にてテレビジョン信号を受信できていないと判断されている場合には、ユーザに対して手入力によるチャンネルプリセットの実施の有無を確認し、ユーザが地域情報を入力した場合にチャンネルプリセットを実施することを特徴とするテレビ受信機搭載型携帯端末装置。
【請求項３】
前記プリセット制御手段は、前記位置情報取得手段により現在位置情報の取得に失敗した場合であっても、前記判断手段によりテレビジョン信号を受信できていると判断された場合には、そのまま処理を終了することを特徴とする請求項２に記載のテレビ受信機搭載型携帯端末装置。
【請求項４】
現在位置を取得する位置情報取得手段と、
受信可能なチャンネルの地域ごとの情報を記憶している地域情報記憶手段と、
前記位置情報取得手段により取得した現在位置情報に基づいて前記地域情報記憶手段に記憶されている地域情報を特定し、特定した地域情報のチャンネルが受信可能となるようにチャンネル周波数を設定するチャンネルプリセットを実施するプリセット制御手段とを備えたテレビ受信機搭載型携帯端末装置において、
テレビ受信機の電源オン状態において、前記プリセット制御手段は、予め設定された一定時間ごとに、前記位置情報取得手段により取得した現在位置情報に基づいて地域情報を算出し、算出した地域情報が前回算出した地域情報と一致するか否かを判断し、一致する場合には、一致した回数が予め設定されたｎ回以上か否かを確認し、ｎ回以上である場合には、算出した地域情報を確定するとともに、その確定した地域情報が現在テレビ受信機が設定されている地域情報と一致するか否かを確認し、一致しない場合にチャンネルプリセットを実施することを特徴とするテレビ受信機搭載型携帯端末装置。
【請求項５】
前記プリセット制御手段は、前記チャンネルプリセットを実施した場合には、現在受信中のチャンネルの放送局と同系例の放送局のチャンネルに切り換えることを特徴とする請求項４に記載のテレビ受信機搭載型携帯端末装置。
【請求項６】
前記位置情報取得手段は、ＧＰＳ（Global Positioning System）から現在位置情報を取得することを特徴とする請求項２ないし請求項５のいずれかに記載のテレビ受信機搭載型携帯端末装置。
【発明の詳細な説明】
【技術分野】
【０００１】
本発明は、位置情報取得手段により取得した現在位置情報に基づいて地域情報を特定し、特定した地域情報のチャンネルが受信可能となるようにチャンネル周波数を設定するチャンネルプリセットを実施するプリセット制御手段を備えたテレビ受信機搭載型携帯端末装置に関する。
【背景技術】
【０００２】
近時、テレビ受信機を搭載した携帯電話機が普及しつつある。特に、地上デジタル放送において、携帯向け（移動体向け）に割り当てられている１つのセグメントを使用した、いわゆる１セグ放送が開始されるに至り、テレビ受信機を搭載した携帯電話機は今後急速に普及するものと考えられる。
【０００３】
この場合、問題となるのが、各チャンネルに割り当てられている放送局の周波数が地域によって異なることである。そのため、例えば携帯電話機を所持しているユーザが、出張などで大阪から東京へ行くような場合、この周波数の異なる地域を何箇所も通過することになるため、その都度、テレビ受信機の受信周波数を、移動中の地域に割り当てられているチャンネル周波数に設定し直す必要がある。そのため、従来から、このような地域ごとのチャンネル切り換え（設定）を自動で行うようにした携帯端末装置等が提案されている（例えば、特許文献１〜４等参照）。
【０００４】
特許文献１には、電源をオンにすると、基地局に位置登録を行って、基地局からの位置情報を受信し、制御部が基地局から受信した位置情報を基に地域チャンネル記憶部に対して地域コードを照合し、受信可能なチャンネルを表示器に表示する構成、及び基地局からの位置情報の代りにＧＰＳ（Global Positioning System）によって得られた位置情報を用いる携帯端末装置の構成が記載されている。
【０００５】
また、特許文献２には、受信機が位置している場所に関する情報を取得する場所情報取得手段と、この場所情報取得手段が取得した場所で特定される地上波放送エリア内の地上波放送の選局情報を取得する選局情報取得手段と、この選局情報取得手段が取得した選局情報に基づき、地上波放送エリア内の地上波放送の各放送周波数を順次選局する自動選局制御手段と、この自動選局制御手段が選局した放送のうち、受信状態が所定品位以上のものを選局対象として選別し、プリセットする選局対象判定・プリセット手段とを備えた地上波デジタル放送受信機の構成が記載されている。
【０００６】
また、特許文献３には、ＧＰＳやＰＨＳ等の位置取得サービスにより現在の位置情報を取得し、地域データベースより、現在位置がどのマップ番号上に相当するかを調べ、相当するマップ番号を変数Ｍｏに格納する。そして、マップ番号Ｍｏの有効放送局リストのうち、規定値より感度が良いチャンネル（受信周波数）を感度が良い順に順次チャンネルメモリへ登録する放送受信装置の構成（段落［００５６］、図１７等参照）が記載されている。
【０００７】
また、特許文献４には、各地の放送局の位置とその放送周波数とを対応させた所定区画に区分けして記憶させた放送マップと、ＧＰＳなどの自動位置計測手段とを備え、位置情報に基づいて放送局マップを検索し、当該位置に該当する区画を選出して放送周波数をセットするようにした放送選局装置の構成が記載されている。
【特許文献１】特開２００３−３０９７７４号公報
【特許文献２】特開２００１−２９８６７４号公報
【特許文献３】特開２００１−１６８６８４号公報
【特許文献４】特開平４−３１１１０７号公報
【発明の開示】
【発明が解決しようとする課題】
【０００８】
上記各特許文献１〜４によれば、携帯端末装置等が移動することで各チャンネルの受信地域が変った場合には、例えばＧＰＳ等から取得した位置情報に基づいて地域コードを取得し、当該地域のチャンネル周波数に自動的にチャンネルプリセットすることが可能である。
【０００９】
しかし、上記特許文献１〜４では、携帯端末装置等を所持するユーザが例えば地下鉄等に乗っていて、ＧＰＳ等から位置情報が取得できなかった場合には、地域コードも取得できないので、チャンネルプリセットが行えないといった問題があった。すなわち、携帯端末装置等が移動することで各チャンネルの受信地域が変わった場合でも、ＧＰＳ等から位置情報が取得できない限り、当該地域のチャンネル周波数にプリセットすることができないといった問題があった。
【００１０】
また、上記特許文献１〜４では、位置情報が取得できた時点で、その位置情報に基づいて地域コードを取得し、当該地域のチャンネル周波数に自動的にプリセットしている。そのため、位置情報の取得が何らかの理由で正確でなかった場合には、間違った地域コードに設定してしまう可能性があるといった問題もあった。
【００１１】
本発明はかかる問題点を解決すべく創案されたもので、第１の目的は、位置情報の取得に失敗した場合でも、そのときのテレビジョン信号の受信状態を考慮して、チャンネルプリセットの必要性の有無の判断や、チャンネルプリセットの手順を対話形式により的確に処理することのできるテレビ受信機搭載型携帯端末装置を提供することにある。また、第２の目的は、取得した位置情報の正確性を判断することにより、より的確なチャンネルプリセットの実施を可能としたテレビ受信機搭載型携帯端末装置を提供することにある。
を提供することにある。
【課題を解決するための手段】
【００１２】
上記課題を解決するため、本発明のテレビ受信機搭載型携帯端末装置は、現在位置を取得する位置情報取得手段と、受信可能なチャンネルの地域ごとの情報を記憶している地域情報記憶手段と、前記位置情報取得手段により取得した現在位置情報に基づいて前記地域情報記憶手段に記憶されている地域情報を特定し、特定した地域情報のチャンネルが受信可能となるようにチャンネル周波数を設定するチャンネルプリセットを実施するプリセット制御手段とを備えたテレビ受信機搭載型携帯端末装置において、テレビジョン信号の受信の有無を判断する判断手段をさらに備えており、テレビ受信機の電源オン状態において、前記プリセット制御手段は、前記位置情報取得手段による現在位置情報の取得に失敗した場合には、前記判断手段での判断結果を確認し、前記判断手段にてテレビジョン信号を受信できていないと判断されている場合には、ユーザに対して手入力によるチャンネルプリセットの実施の有無を確認し、ユーザが地域情報を入力した場合にチャンネルプリセットを実施することを特徴としている。
【００１３】
すなわち、本発明のテレビ受信機搭載型携帯端末装置によれば、位置情報の取得に失敗した場合には、まず、その時点でテレビジョン信号を受信できているか否かを判断手段により判断し、受信できていないと判断されている場合に、ユーザに対して手入力によるチャンネルプリセットの実施の有無を確認する（確認メッセージを表示する）構成としている。例えば、位置情報が取得できず、テレビジョン信号も受信できない状態としては、ユーザがビルの中にいる場合や、地下鉄等に乗っている場合、車がトンネル内を走行している場合等、種々の状況が考えられる。この場合、ユーザが手入力により地域情報の入力を行った場合には、プリセット制御手段は、地域情報記憶手段に記憶されている該当地域の各局のチャンネルが受信可能となるように、チャンネルプリセットを実施する。
【００１４】
また、本発明によれば、テレビジョン信号が受信できていないと判断された場合に、さらに詳細な手順に移行してもよい。すなわち、テレビ受信機の電源オン状態において、プリセット制御手段は、位置情報取得手段による現在位置情報の取得に失敗した場合には、判断手段での判断結果を確認し、判断手段にてテレビジョン信号を受信できていないと判断されている場合には、次に、受信状態を終了するか否かの確認メッセージを表示する。そして、その確認メッセージに対してユーザが受信状態を終了しないことを選択した場合には、次に、ユーザに対して手入力によるチャンネルプリセットの実施の有無の確認メッセージを表示し、その確認メッセージに応答してユーザが地域情報を入力した場合に、チャンネルプリセットを実施するようにしてもよい。すなわち、受信状態を終了するか否かの確認メッセージを表示することで、例えばユーザが、建物の中にいるために視聴できなくて当然であると判断した場合には、そのまま受信状態を終了すればよい。また、受信可能な状況であるにも係わらず受信できていない場合であって、ユーザが受信状態の終了を選択しない場合にも、そのままの視聴を希望していると考えられるので、この場合もそのままテレビ受信を継続すればよい。一方、ユーザがその確認メッセージに応答して地域情報を入力した場合には、プリセット制御手段は、地域情報記憶手段に記憶されている該当地域の各局のチャンネルが受信可能となるように、チャンネルプリセットを実施する。
【００１５】
また、本発明のテレビ受信機搭載型携帯端末装置によれば、前記プリセット制御手段は、前記位置情報取得手段により現在位置情報の取得に失敗した場合であっても、前記判断手段によりテレビジョン信号を受信できていると判断された場合には、テレビ番組を視聴するという当初の目的は達成されているので、そのまま処理を終了する。
【００１６】
また、本発明のテレビ受信機搭載型携帯端末装置は、現在位置を取得する位置情報取得手段と、受信可能なチャンネルの地域ごとの情報を記憶している地域情報記憶手段と、前記位置情報取得手段により取得した現在位置情報に基づいて前記地域情報記憶手段に記憶されている地域情報を特定し、特定した地域情報のチャンネルが受信可能となるようにチャンネル周波数を設定するチャンネルプリセットを実施するプリセット制御手段とを備えたテレビ受信機搭載型携帯端末装置において、テレビ受信機の電源オン状態において、前記プリセット制御手段は、予め設定された一定時間ごとに、前記位置情報取得手段により取得した現在位置情報に基づいて地域情報を算出し、算出した地域情報が前回算出した地域情報と一致するか否かを判断し、一致する場合には、一致した回数が予め設定されたｎ回以上か否かを確認し、ｎ回以上である場合には、算出した地域情報を確定するとともに、その確定した地域情報が現在テレビ受信機が設定されている地域情報と一致するか否かを確認し、一致しない場合にチャンネルプリセットを実施することを特徴としている。
【００１７】
このように、算出した地域情報が前回算出した地域情報と一致するか否かの判断をｎ回以上繰り返すことで、位置情報の取得が何らかの理由で正確でなかった場合に、間違った地域情報に基づくチャンネルプリセットを行ってしまうといった不具合の発生を防止することが可能となる。
【００１８】
この場合、前記プリセット制御手段は、前記チャンネルプリセットを実施した場合には、現在受信中のチャンネルの放送局と同系例の放送局のチャンネル（すなわち、系列局のチャンネル）に切り換える構成としてもよい。このように、チャンネルプリセットを行った場合に、それまで視聴していたチャンネルの系列局のチャンネルに自動的に切り換えることで、ユーザがいちいちチャンネルの切り換え操作を行わなくても、同じ番組を引き続き視聴することが可能となる。
【００１９】
なお（６）、前記位置情報取得手段としては、ＧＰＳから現在位置情報を取得する構成とすることができる。
【発明の効果】
【００２０】
本発明のテレビ受信機搭載型携帯端末装置によれば、位置情報の取得に失敗した場合には、まず、その時点でテレビジョン信号を受信できているか否かを判断し、受信できていないと判断されている場合に、ユーザに対して手入力によるチャンネルプリセットの実施の有無を確認する構成としている。すなわち、位置情報の取得に失敗した場合でも、テレビジョン信号が受信できていないことで放送地域が変ったと判断できるので、この場合にユーザが手入力により地域情報の入力を行うことで、該当地域の各局のチャンネルが受信可能となるようにチャンネルプリセットを実施することができる。
【００２１】
また、本発明のテレビ受信機搭載型携帯端末装置によれば、算出した地域情報が前回算出した地域情報と一致するか否かの判断をｎ回以上繰り返すことで、位置情報の取得が何らかの理由で正確でなかった場合に、間違った地域情報に基づくチャンネルプリセットを行ってしまうといった不具合の発生を防止することができる。また、チャンネルプリセットを実施した場合に、現在受信中のチャンネルの放送局と同系例の放送局のチャンネル（すなわち、系列局のチャンネル）に切り換える構成としたので、ユーザがチャンネルプリセット後にいちいちチャンネルの切り換え操作を行わなくても、同じ番組を引き続き視聴することが可能となる。
【発明を実施するための最良の形態】
【００２２】
以下、本発明の実施の形態について、図面を参照して説明する。
【００２３】
図１は、本発明のテレビ受信機搭載型携帯端末装置の一実施形態であるテレビ受信機搭載型携帯電話機の要部の電気的構成を示す機能ブロック図である。ただし、本実施形態では、テレビ受信機による映像及び音声の信号処理については従来周知の処理であるので、ここではＴＶ信号処理部として簡単な機能ブロックで示している。また、携帯電話機による電話やメールに関する信号処理についても従来周知の処理であるので、ここでは電話機側信号処理部として簡単な機能ブロックで示している。
【００２４】
すなわち、本実施形態のテレビ受信機搭載型携帯電話機は、電話機能やメール機能等の携帯電話機としての機能を制御する電話機制御系１０と、デジタル／アナログ放送のテレビジョン信号を受信するＴＶ制御系２０とからなり、電話機制御系１０全体を制御する電話機側マイコン１１と、ＴＶ制御系２０全体を制御するＴＶ側マイコン２１とがバス通信３５によって双方向に接続された構成となっている。
【００２５】
すなわち、ＴＶ制御系２０は、デジタル／アナログ放送のテレビジョン信号を受信するチューナ回路２２を備えており、このチューナ回路２０の出力がＴＶ信号処理部２４に接続されている。また、ＴＶ信号処理部２４の出力は、切換回路１５を介して液晶ディスプレイ等の表示部１３に接続されている。また、ＴＶ信号処理部２４の出力は、増幅器２６を介して内部スピーカ２７に接続されている。ＴＶ信号処理部２４は、テレビ受信用の各種設定を行うためのセットアップ画面等を表示するＯＳＤ回路２４ａを備えている。ＴＶ信号処理部２４は、ＴＶ側マイコン２１によって制御され、チューナ回路２２を介して受信したテレビジョン信号を映像信号や音声信号に復号し、映像信号を表示部１３に表示するとともに音声信号を内部スピーカ２７から出力する。
【００２６】
また、ＴＶ側マイコン２１には、アンテナ２８ａによって受信された図示しないＧＰＳ衛星からの信号に基づき、本携帯電話機の現在位置を取得する位置情報取得部２８が接続されている。ＴＶ側マイコン２１は、この位置情報取得部２８により取得される現在位置の情報に基づいて、本発明の特徴であるチャンネルプリセット処理を実施する。また、ＴＶ側マイコン２１には、ＴＶ側メモリ部２９が接続されており、このＴＶ側メモリ部２９に、チャンネルプリセット時の地域情報が予め記憶されている。すなわち、受信可能なチャンネルの情報が地域ごとに記憶されている。この地域情報は従来周知の情報であるため、ここでは詳細な説明を省略する。
【００２７】
一方、電話機制御系１０は、他の携帯電話機等の通信端末装置と無線基地局を介して通信する無線通信部１２を備えており、この無線通信部１２が電話機側信号処理部１４に接続されている。また、電話機側信号処理部１４の出力は、切換回路１５を介して表示部１３に接続されている。電話機側信号処理部１４は、電話機能やメール機能等に関する各種設定や入力を行うためのメニュー画面等を表示するＯＳＤ回路１４ａを備えている。電話機側信号処理部１４は、電話機側マイコン１１によって制御される。また、電話機側マイコン１１には、ユーザが操作するダイヤルキーや機能キーが配置された操作部１２と、マイクロホンやスピーカを備えた送受話部１６と、電話帳やメールアドレス等の各種の情報を記憶する電話機側メモリ部１７とが接続されている。
【００２８】
電話機側マイコン１１は、操作部１２から入力される各種操作信号に基づいて、電話機制御系１０及びＴＶ制御系２０の動作制御を行うようになっている。すなわち、本実施形態では、ＴＶ制御系２０の電源オン、オフを含む全ての制御信号が、電話機側マイコン１１を通じてＴＶ側マイコン２１に送信されるようになっている。また、切換回路１５の切り換え制御も電話機側マイコン１１によって行われるようになっている。
【００２９】
上記構成において、ＴＶ側マイコン２１は、テレビ受信機の電源オン時、及びその後の電源オン状態において、位置情報取得部２８により取得された現在位置情報に基づいて、ＴＶ側メモリ部２９に記憶されている地域情報を特定し、特定した地域情報のチャンネルが受信可能となるようにチャンネル周波数を設定するチャンネルプリセットを実施するようになっている。この場合、現在位置情報の取得に失敗した場合には、対話形式による手順を経て、手入力によるチャンネルプリセットを案内するようになっている。
【００３０】
以下、ＴＶ側マイコン２１によるチャンネルプリセットの実施までの処理手順について、図２及び図３に示すフローチャートを参照して具体的に説明する。
【００３１】
テレビ受信機の電源がオンされると、ＴＶ側マイコン２１は、位置情報取得部２８によって一定時間ごとに取得される現在位置情報を読み込む（ステップＳ１）。ここで、一定時間としては、例えば数秒から十数秒程度の時間がよい。
【００３２】
ＴＶ側マイコン２１は、この読み込んだ現在位置情報に基づいて測位に成功したか否かを判断する（ステップＳ２）。ここで、本携帯電話機を所持しているユーザが、例えばビルの中や地下鉄に乗っている場合等、ＧＰＳからの信号を受信できない状態である場合には、ステップＳ２での判断がＮｏとなる。そのため、ＴＶ側マイコン２１は、この場合にはステップＳ３に進み、受信可能なチャンネルのプリセットをすでに手入力で行っているか否かを確認する。この確認は、手入力フラグのオン、オフ状態によって確認する。その結果、手入力フラグがオンになっている場合（ステップＳ３でＹｅｓと判断された場合）には、すでに手動によるチャンネルプリセットが完了しているため、そのまま処理を終了する。
【００３３】
一方、手入力フラグがオフになっている場合（ステップＳ３でＮｏと判断された場合）には、次に、現在のチャンネルでテレビジョン信号を受信できているか否かを判断する（ステップＳ４）。テレビジョン信号を受信できているか否かの判断手法としては、例えば音声信号にどれだけのノイズが含まれているかによって判断することが可能であるが、この他にも従来周知の種々の手法を採用することが可能である。その結果、テレビジョン信号が受信できていると判断した場合（ステップＳ４でＹｅｓと判断した場合）には、位置情報が取得されていなくても、テレビを視聴するという当初の目的は達成されているので、この場合にはチャンネルプリセットの処理に移行することなく、そのまま処理を終了する。
【００３４】
一方、テレビジョン信号が受信できていないと判断した場合（ステップＳ４でＮｏと判断した場合）には、次に、受信状態を終了するか否か、すなわちテレビ受信機の電源をオフするか否かの確認メッセージを表示部１３に表示する（ステップＳ５）。このように、受信状態を終了するか否かの確認メッセージを表示することで、例えばユーザが、建物の中にいるために視聴できなくて当然であると判断した場合には、そのまま受信状態を終了すればよい。すなわち、この確認メッセージに対してユーザがテレビ受信機の電源をオフすることを選択した場合（例えば、メッセージとともに表示された「はい」と表記されたボタンを操作する等した場合）には、テレビ受信機の電源をオフにして（ステップＳ６）、処理を終了する。
【００３５】
一方、確認メッセージに対してユーザがテレビ受信機の電源をオフしないことを選択した場合（例えば、メッセージとともに表示された「いいえ」と表記されたボタンを操作する等した場合）には、次に、ユーザに対して手入力によるチャンネルプリセットの実施を行うか否か、すなわち自ら地域情報を入力するか否かの確認メッセージを表示部１３に表示する（ステップＳ７）。そして、その確認メッセージに応答してユーザが地域情報の入力を選択した場合（例えば、メッセージとともに表示された「はい」と表記されたボタンを操作する等した場合）には、ステップＳ７での判断がＹｅｓとなるため、ＴＶ側マイコン２１は、地域情報を入力する入力画面を表示部１３に表示する。すなわち、本来、メニュー画面から選択すべき地域情報の入力画面を直接表示する。そして、この表示画面に従ってユーザが手入力により地域情報を入力すると（ステップＳ８）、ＴＶ側マイコン２１は、ＴＶ側メモリ部２９に記憶されている該当地域の各局のチャンネルが受信可能となるように、チャンネルプリセットを実施し（ステップＳ９）、この後、手入力フラグをオンにして（ステップＳ１０）、処理を終了する。
【００３６】
一方、確認メッセージに対してユーザが地域情報を入力しないことを選択した場合（例えば、メッセージとともに表示された「いいえ」と表記されたボタンを操作する等した場合）には、ステップＳ７でＮｏと判断されるため、チャンネルプリセット処理には移行せず、この場合には手入力フラグをオンにして（ステップＳ１０）、処理を終了する。すなわち、地域情報の手入力を行わないということは、ユーザがそのままの視聴を希望していると考えられるので、この場合には、次の測位に失敗した場合でも、ステップＳ３での判断がＮｏとなって、再びステップＳ４〜ステップＳ９の処理を繰り返さないように、手入力フラグをオンにしてから、処理を終了する。
【００３７】
次に、ステップＳ２に戻って、ＴＶ側マイコン２１が、読み込んだ現在位置情報に基づいて測位に成功した場合には、ステップＳ１１へと動作を進め、例えばステップＳ１０でオンされていた手入力フラグをオフとする。
【００３８】
そして、取得した現在位置情報に基づいて地域情報を算出し（ステップＳ１２）、算出した地域情報が前回算出した地域情報と一致するか否かを判断する（ステップＳ１３）。上記したように、テレビ受信機の電源がオンされると、ＴＶ側マイコン２１は、位置情報取得部２８によって一定時間ごとに取得される現在位置情報を読み込んでいる（ステップＳ１）。
【００３９】
その結果、算出した地域情報が前回の地域情報と同じである場合（ステップＳ１３でＹｅｓと判断される場合）には、一致回数を計数する図示しないカウンタ（例えば、ＴＶ側マイコン２１の図示しない内部カウンタ等）を＋１し（ステップＳ１４）、今回算出した地域情報をＴＶ側メモリ部２９の所定の領域に保存する（ステップＳ１６）。この場合、ＴＶ側メモリ部２９の所定の領域に前回算出した地域情報が記憶されている場合には、これを上書きする形で更新記憶する。
【００４０】
一方、算出した地域情報が前回の地域情報と異なっている場合（ステップＳ１３でＮｏと判断された場合）には、一致回数を計数する図示しないカウンタを０にクリアし（ステップＳ１５）、今回算出した地域情報をＴＶ側メモリ部２９の所定の領域に保存する（ステップＳ１６）。なお、今回の読み込みが、テレビ受信機の電源オン後の最初の読み込みであった場合には、前回算出した地域情報は存在しないため、ステップＳ１３での判断結果は必然的にＮｏとなる。この場合、ＴＶ側メモリ部２９の所定の領域に前回算出した地域情報が記憶されている場合には、これを上書きする形で更新記憶する。
【００４１】
次に、ＴＶ側マイコン２１は、カウンタのカウント値が予め設定されたカウント値ｎ（例えば、ｎ＝５に設定）に達しているか否かを確認する（ステップＳ１７）。すなわち、前回算出した地域情報と今回算出した地域情報とが連続してｎ回（５回）一致したか否かを確認する。
【００４２】
その結果、一致回数がｎ回に達していない場合（ステップＳ１７でＮｏと判断された場合）には、そのまま処理を終了する。
【００４３】
一方、一致回数がｎ回に達している場合（ステップＳ１７でＹｅｓと判断された場合）には、算出された地域情報に誤りがないことが確認されたので、ＴＶ側マイコン２１は、この時点でテレビ受信機の地域情報を確定する（ステップＳ１８）。そして、この確定した地域情報と、前回のテレビ受信機の電源オフ時に設定されている地域情報とを比較する（ステップＳ１９）。
【００４４】
その結果、今回確定した地域情報が前回設定されていた地域情報と同じである場合（ステップＳ１９でＮｏと判断された場合）には、そのままテレビ受信を継続して処理を終了する。一方、今回確定した地域情報が前回設定されていた地域情報と異なる場合（ステップＳ１９でＹｅｓと判断された場合）には、ＴＶ側マイコン２１は、チャンネルプリセットを実施する（ステップＳ２０）。そして、チャンネルプリセットを実施後、現在受信中のチャンネルの放送局と同系例の放送局のチャンネル（すなわち、系列局のチャンネル）に切り換える（ステップＳ２１）。このように、チャンネルプリセットを行った場合に、それまで視聴していたチャンネルの系列局のチャンネルに自動的に切り換えることで、ユーザがいちいちチャンネルの切り換え操作を行わなくても、同じ番組を引き続き視聴することが可能となる。
【００４５】
なお、ＴＶ側マイコン２１は、上記各ステップの処理を、テレビ受信機の電源がオフされるまで、すなわちテレビジョン信号を受信している間、繰り返し実施する。ただし、電源オン時に上記各ステップの処理を実施して、チャンネルプリセットを実施した後、もしくは地域情報が一致していることを確認した後は、所定時間（例えば、３０分等）が経過するたびに、上記各ステップの処理を実施するようにしてもよい。これにより、携帯電話機の消費電力を少しでも低減することができる。
【図面の簡単な説明】
【００４６】
【図１】本発明のテレビ受信機搭載型携帯電話機の要部の電気的構成を示す機能ブロック図である。
【図２】ＴＶ側マイコンによるチャンネルプリセットの実施までの処理手順を示すプローチャートである。
【図３】ＴＶ側マイコンによるチャンネルプリセットの実施までの処理手順を示すプローチャートである。
【符号の説明】
【００４７】
１０  電話機制御系
１１  電話機側マイコン
１２  無線通信部
１３  表示部
１４  電話機側信号処理部
１５  切換回路
１６  送受話部
１７  電話機側メモリ部
２０  ＴＶ制御系
２１  ＴＶ側マイコン
２２  チューナ回路
２４  ＴＶ信号処理部
２４ａ  ＯＳＤ回路
２６  増幅器
２７  スピーカ
２８  位置情報取得部
２９  ＴＶ側メモリ部
３５  バス通信
【図１】
2008148142.tif 000003
【図２】
2008148142.tif 000004
【図３】
2008148142.tif 000005